(57)【要約】      （修正有）【課題】新聞・雑誌・書籍・チラシ（折り込み）の切り抜きや放送メディヤのビデオ録画に、整理に必要なデータを前もって見立たないように入れることにより、切り抜き作業の効率化と情報源の明確化を図る。【解決手段】新聞は、記事の境目や段の境目に目立たないようにニュースソースを情報として刷り込まれていると、それで解るようにできる。雑誌も同様に雑誌名や発行年月日や何号かを特集や記事に刷り込めば後で確認できる機能を加える。書籍も書名（本の名前）と作者（著者）名と出版社名を柱やノンブルとのバランスよく各ページに刷り込み識別する機能を加える。チラシ・パンフレット・リーフレットは発行者と連絡先と発行日と有効期間を刷り込めばよい。デジタル放送は電波に情報を入れてチャンネル・番組名・放送年月日・時間を違和感なく表示させる機能を加える。【選択図】図１
2004268593.tif 000002
【特許請求の範囲】
【請求項１】
新聞・雑誌・チラシに新聞名又は雑誌名と発行日や著者又は出版社名やページなど「カンザシ」に書かれている情報を小さく切り抜き（スクラップ）した後でも残るように罫線や地紋・アミ・メントに新聞社と発行日を記号または小さい文字によって違和感なく初めから刷り込んでおくことで情報の出所の確認を容易にして切り抜き後も何を切り抜いたスクラップかわかるようにして切抜資料（ｃｌｉｐｐｉｎｇｓ）集め整理を支援する機能。
【請求項２】
書籍の全てのページに書籍名（主題・ｓｕｂｊｅｃｔ・背表紙のタイトル）と著者名と出版社名を新聞の「カンザシ」みたいに「柱」や「ページ」（ノンブル）の横や欄外のバランスの良い位置に自然に配置されるようなレイアウトで違和感無く刷り込むことで情報の出所を明確にして切り抜きやコピー後に引用や参考書籍が一目瞭然にできる機能を加える。「書籍用カンザシ」とフレーム部分にアナログ又はデジタル情報で「書籍用カンザシ」の情報を刷り込むことで「データケイ」として使う機能。
【請求項３】
チラシ・パンフレット・リーフレットで特に求人広告や書籍といった複数の異なる会社の広告が並ぶ場合に発行者名と連絡先と発行年月日を識別可能にする事で大メディアに掲載された事を明確に出来るので興味ある商品やサービスといった部分が切り抜かれた後でも信用性が残り宣伝効果による販売可性が高くなり更に著作権までも明確に出来る。広告主の情報だけでなく媒体情報まで識別可能にする。
【請求項４】
衛生放送の録画時に従来のチャンネル・時間表示に加えて年月日と番組名も新たに表示させることで何を録画したか巻き戻し途中で再生して表示を見たらスグに分かるようにすると同時に表示を小さくしてなおかつ字幕やテロップが入る場合は文字と文字が重ならないように表示位置を移動させる事で違和感を最小限に抑える機能。
【発明の詳細な説明】
【技術分野】
【０００１】
編集・レイアウト・印刷・製版などの技術分野で「新聞スクラップ支援レイアト」編集やレイアウト時に新聞の欄外部分や欄外と記事の境目に使う罫線やアミ（スクリーントーンみたいもの）及び記事の終わりなどに記号を入れて、何年何月何日発行のどの新聞を切り抜いたスクラップなのか切抜資料（ｃｌｉｐｐｉｎｇｓ）の出所を明確にして整理を簡略化する機能を発明した。
【０００２】
カンザシと呼ばれる見開ページの新聞の紙面の中心の折り目から対向ページ中央から左右の外側に向かって、新聞名と日付、版数、ページ数が載っている部分にしか入っていない「カンザシ」の情報を小さく切り抜いたスクラップに残るようにする。しかも現在の印刷技術を応用して使って、スクラップブックに記入する手間を省く。切り抜いたままでスクラップ帳に張り付けないでも切り抜きを見たら情報の出所が識別できる。スクラップするには、興味や必要性に沿った収集ジヤンルを決めて行うが切り抜いて何日か後に集めた情報を更に取捨選択して整理するとなると日付や新聞名を記入しておかないと、いつの新聞かまで不明になってしまう。記入するとなると切り抜く前に情報を絞り込むことになり情報の選択に思考時間を費やし疲れてしまう。まず興味のある情報を切り抜き後日、じっくりと集めた情報を取捨選択して必要性を判断して分類した方が楽である。しかも中身の濃いスクラップとなる。収集ジャンルは絞り込みの後で行っても大丈夫になる。新聞の場合、まれにカンザシ近くの大きめな記事を切り抜くとカンザシの新聞社名か日付の部分が残ることもあるが、それ以外の小さな記事やハコモノや広告等を切り抜いて後で、切り抜いた断片から新聞社名と日時の痕跡を探ろうとして裏表ひっくりかえして見ても識別出来ないため後で困る事が殆どである。そこで記事の部分だけ小さく切り抜いても識別できる機能を発明した。ビデオやＣＤ−Ｒ・ＣＤ−ＷにＤＶＤ−Ｒ・ＤＶＤ−ＲＷ等（ハードディスクなどの電子記憶装置）の記憶媒体へ資料としてデジタルデータを切り抜き録音や録画して保存する時にも画像データなら従来から入れられチャンネルと時間のだけの表示に加えて新たにデジタル波での放送で技術的に可能となったので年月日と番組名を小さく正確に表示させることで、いつの画像情報か明確にする機能も同時に発明した。
【背景技術】
【０００３】
新聞や雑誌で実施する場合、現在の編集・製版・印刷技術で十分可能である。記号・コード・罫線・地紋・アミを発明目的に合わせてデザインするぐらいでほとんど設備投資を伴わないで可能である。この機能をワープロソフト（ＦＥＰ）に加えて変換を容易にする。昔は専用の写植用パーレンを作っておく必要があった。現在は、デジタル技術の発達と紙質の向上やオフセット印刷化によってアミ点の線数が６５線・８５線・１３０線と細かくなり以前にくらべて新聞に小さい文字を印刷できる。アミ点の線数をスクリーン線数と呼ぶ所が増えているが同じ意味である。１インチの走査線の縦横４５０×４５０本で６５線であり線数が増えるとこれらの数は増える。１３０線を越えると雑誌の写真並みのクオリティー（質）になる。雑誌の場合のスクリーン線数は、６５線８０線１００線１３３線と数が増えると解像度が高くなる。
【０００４】
質が高くなると、より小さい文字が印刷出来るのでカンザシの情報をスクラップして残るように入れても違和感を無くせる。文字の大きさによっては文字の中に文字を入れたりする事も可能である。アミをかけて濃度を薄く調整して目立たせなくすることでバランスを取る方法もある。ハコモノと呼ばれる朝日新聞の表（グラフ）にのみ新聞社名のみ入っているがスクラップを支援する為とまではいっていない。図５に参考に入れる。この見本は白抜きだが白フチや黒フチのフチ文字（くくり文字）で罫線やアミやメントに取り入れる。文字もこの位の大きさが自然である。新聞の記事場合は、編集の際に視線の流れを人間工学的に計算して記事を読みやすくする為にレイアウトの禁止事項として「両流れ」「泣き別れ」「飛びおり」「飛びこし」「ハラ切り」「しりもち」「見出しの直列」とならないように「オサエてナガす」基本的な手法をふまえた上で注意して発明の機能をバランス良く入れる。
【０００５】
レイアウトがハコモノ扱いされる事は広告部分が殆どである。写真や図やイラストと言った「絵とき」部分は四角いが記事と合わせると縦に長い切り抜きになったり横に長い切り抜きになったりする。そのため上に掲載されている記事でも欄外上に昔からあるカンザシの部分が切り抜くと入らない事が多い。その場合は本、発明で情報を刷り込む。衛生放送の番組名表示機能はＥＰＧができる背景技術があるので今後は加えると録画後に情報の出所が正確にわかり便利である。パーソナル無線機には自動的にデジタルデータで自局のコールサインを送信する機能が付いている。このような感じにチャンネルや番組名と年月日と時間のデータを加える。
【発明の開示】
【発明が解決しようとする課題】
【０００６】
現在の新聞と雑誌は、読者がスクラップ（切り抜き）保存する事まで考慮して編集されていない。折り込みチラシも同様である。今までの新聞は欄外の上部分が入る部分でないと自分で切り抜いたら即ニュースソースを書き込まないと箱や袋に入れて後で整理しようとするとスクラップを見ても情報の出所が解らなくなった。そのつどハサミで切って筆記用具で書く動作を繰り返すのは面倒である。切抜資料（ｃｌｉｐｐｉｎｇｓ）とは新聞雑誌の記事・写真・図版の一部を台紙に貼った情報ファイルのことである。
【０００７】
現在の新聞のカンザシは欄外の上の中心にのみ社名があり、その左右に○版  第３種類郵便可  社名  （朝刊）か（夕刊）  年月日  （曜日）などである。その為、上の部分でも折り目中心側の記事から欄外の耳部分の左右や下（底）部分の記事などを切り抜くと新聞名と日付の情報が印刷されていない。そのため記事を切り抜くと新聞名と日時などを読者が手書きする事になり欄外上部に社名・日付が残っている記事と比べて手書き部分があると信頼性が下がる。
【０００８】
新聞に載った記事をコピーで見せられると、偽造されてないか心配になるので新聞専用の紙だと安心される。しかもコピーは新聞社の著作権に触れないかも気になる。実物を切り抜いた新聞の現物を見せられると説得力が上がり信用できる。とくに新聞は雑誌より大きいのでコピーしても欄外の上に印刷してある紙名と日付は、まず入らない。
【０００９】
現在は切り抜きでニュースソースが不明にならない為に手書きで記入して補っている。もし切り抜かないで新聞を中心の折り目から半分に、ちぎって保存したらかさばる。おまけに必要な記事は赤鉛筆などで囲っておかないと探すのも大変である。新聞を複数、購読していると切り抜きを箱や封筒に入れて後日、整理する場合は新聞名すら識別できずニュースソースが不明になってしまう。スクラップは手間がかからない方が続けられる。
【００１０】
雑誌の場合はページを丸ごと切り抜いてページ（ノンブル）は、わかるとしても雑誌名は内容で予測することしかできない。とくに同じ雑誌を毎号購入していると何年の何月号かも識別出来ない。雑誌は新聞より個人でも何誌も購読している事が多く後日、部分的に切り抜いたものを見ても雑誌名すら特定できない状態になる。書籍の場合は、資料として必要なページを図書館でコピーしてもらっても書名も作者名も出版も自分で書かないと何のコピーが解らなくなる。本を沢山読んでも書名と作者名を思い出せない事があるのは、書籍には「カンザシ」に該当する部分が無く、かわりに第何編の第何章や第何部というように「柱」が入っているが違和感の無い場所に新聞の「カンザシ」にあたる情報を書籍に置き換えて刷り込めば格段に便利になり自然と書名と作者名を覚えられる。
【００１１】
テレビ（電波メディア）番組を見ただけでチャンネルがわからない時にリモコンでチャンネルを画面に表示させる機能の電子メディア（デジタル媒体）版である。テレビにもチャンネルや時間表示に加えて番組名表示機能をビデオ録画の時に搭載されると便利ではあるが現在は、衛星放送でもチャンネルのマークが表示されるだけである。モニター（画面）に今より目立たなく表示される機能があれば便利である。ペーパーメディア（紙媒体）から電子メディアへの過渡期であり新聞の大きさと厚みの丸めたり折り曲げられるフィルム形状の液晶やプラズマのモニターで薄く丈夫な表示媒体が実用化されたらモニター画面上に銀行やコンビニや郵便局などのＡＴＭで入力出来る機能も画面に付けてデジタイザに付属していいるコードレスのペンや指の先で記憶媒体の記事部分をなぞると「資料切り抜き」としてデータ化されて絞り込んで保存できて検索と表示も簡単になる。その場合にはデータに「電子透かし」を入られるので「カンザシ」の情報も一緒に入れることでニュースソース（情報の出所）を明確にできる。現在の電子メディアは、まだ画面が小さくスクロールさせる手間がかかるが新聞の大きさならページをめくる感覚で視線を新聞編集の基本である「オサエてナガす」という基本レイアウトで目の動きがスムーズにできてナガシ記事に時間を取られるムダを省ける。現在の電子メディアは紙の新聞の編集技術を駆使できない不便さがあるのは、小さい画面で新聞編集の禁止事項を考慮出来ないためである。
【００１２】
現状の新聞や雑誌は、切り抜き（スクラップ）に使う道具はハサミで年月日は赤いボールペンで書く事が多い。切り抜いた後で、どの新聞か忘れてボールペンを持って探すのは大変である。特に、何紙も購読していると良く起こる。中には年月日の回転式スタンプを使う人までいる。膨大な量の新聞や雑誌を保管するのは狭い住宅事情では無理であり切り抜きをする事で必要な情報だけを保管する事で濃くて的をえた情報を必要な時にスムーズに取り出せるのにニュースソース（いつ発行された何と言う出版物か）を明確にする事で情報の鮮度や社会情勢の変化を切り抜きの比較で判断する事にも役立つ。ハサミで切り取っておく習慣がつけば厚みや重みのある正確な情報として役立つ。
【課題を解決するための手段】
【００１３】
切り抜きにカンザシの情報が刷り込まれていれば便利である。新聞社名と日付などを手書きする手間は、欄外部分か欄外と本文の境目に新聞社を識別するコード・マーク・記号・罫線地紋と発行年月日を刷り込むと切り抜きされて小さくなっても残るようにバランス良くレイアウトで入れる。
【００１４】
新聞社と発行日などを識別する罫線を本文記事の中にも活用すれば欄外付近の記事にも有効となり欄外（耳）の部分にこだわる必要もなくなる。本発明の目的は良く金融機関が手形や小切手の用紙全体に薄く地紋や透かしを入れている方法で新聞社と日時を識別できるアミ（又はスクリーントーン）を作り使用する事でも可能である。
【００１５】
今まで飾りに過ぎなかった「罫線」や「地紋」をカナ（アイウエオ・・・）やローマ字（ＡＢＣＤＥ・・・）に数字（１２３４５・・・）と連動して変換する機能をワープロソフトに搭載する。細い罫線でも小さい文字を罫線に使えば目的を達する事ができる。モールス信号の要領で点と線の応用で記号化も可能である。細い罫線に合わせた小さい文字を刷り込む事も現在の印刷水準が高くなったので可能である。虫眼鏡（ルーペ）で読めれば良い。太めの罫線はくくり文字を入れたり現在のバーコード技術をアレンジして利用できる。絵とき（写真）には「シニケイ」（罫線をアタリにつかう）と「イキケイ」（写真のまわりに罫線を刷り込む）が本発明の「データケイ」に著作権情報もアナログ印刷で刷り込むことも可能である。（ドット情報が並んだバーコードのドット版罫線である）
【００１６】
特に地紋は、生地の平織り、綾織り、斜紋折り、繻子織り、を表示する記号（平織りはアミ５０％と拡大すると同じチェッカーフラッグ状）を罫線内部のアミのドットの配置でかなりの量の情報をバーコードで組み込む（デジタルデータを）ことができる。
【００１７】
画像まで情報化する技術が実用化されているので活用できる。この技術を応用すると文字を持たなかったインカ帝国の情報手段みたいに繊維に生地の織り方で情報を入れる事も可能である。一つの例だが一見すると無地のハンカチに織り方で文字情報も画像情報も音声情報も入れられる程である。紙の場合は生地より識別は容易である。後は、それに対応した読みとりソフトとバーコード識別ソフトとハードにスキャナーかデジタルカメラがあれば良い。ＯＣＲ機能（文字読みとり）を使って新聞の記事内容から検索する方法が先願であるが著作権問題を解決しなければ無理である。図５に参考資料として四角いバーコードを背景技術の資料として入れる。これは携帯電話のカメラでデータを取り込みできるタイプである。スクラップのコツは道具と手間を減らす事で作業の軽減を計る方が便利になる。
【００１８】
肉眼でカンザシに入っている情報が読みとれて電子機器に頼らない方が手間を考えると楽であり確実である。スクラップで情報を整理するコツは手間が少ない事であり切り抜いた情報は後日、絞り込むのが長く続ける秘訣である。発明で手間を増やすのは本末転倒である。ハサミ一本で済む方法を選ぶと原始的に感じるが電子機器を使うのが目的では無い。手軽にクスラップ出来るようにするのが本、発明の目的であり、この発明は誰もが簡単かつ単純で見過ごしていた方法だが便利で明確かつ確実である。スクラップ帳に貼らないでもクリアファイルに挟んでおけば切り抜いた断片が落ちても何時の情報で何処から落ちたかニュースソースから知ることもできる。
【００１９】
この方法でも新聞社名と発行年月日などの刷り込みは可能である。記事のはじめか終わりに識別記号を入れる方法もある。特に太さのある「見出し」文字にも「アミ」や「地紋」の方法を使う事が可能である。見出しの次に書かれている前文に使う方法もある。見出しより少し細く小さい「前文」（前文とリードは同じで記事全体の「ヤマ」を要点だけを書いたもの）の文字やアミや地紋にカンザシに書かれている情報を入れたりできる。
【００２０】
「メント」（罫線の一種）の太くなっている模様部分にカンザシの情報を入れる。署名記事みたいに違和感無く入れられる。以上の方法を組み合わせたエディトリアルデザインで課題を解決する手段にする。新聞の欄内は、全ページ・全５段・全３段といった分類があるので本、発明の目的を達成するには、段の境目にカンザシの情報を前記の方法で入れたり段見出しの太い文字や地紋やアミなどに入れたりする。ハコもの（四方または三方、二方をケイでかこんだカコミと片方にケイで寄せつけたタタミ、表などのこと）も罫線にカンザシの情報を入れられる。このように多くの場所に情報を入れられるので本、発明は全体のレイアウトを大きく変更せずに自然に溶け込む感じに切り抜き支援機能を紙面に加える事が可能である。
【００２１】
著作権・肖像権・といった知的財産権も厳しくなり遵守するにはニュースソース（情報発信元）の明確化も大切である。写真やイラストにコピーライトを明確にする感覚で取り入れられる。後日、引用する時に出所を明確にできる。写真やイラストの隅にマルシー（Ｃ）表示に作者と創作年月日が入っていても連絡先を後日、確認する為に新聞社に問い合わせる時には何年の何日に掲載されたかを伝えないと調べようが無いのでカンザシの情報を切抜資料に表示されていればスムーズに交渉ができる。
【００２２】
本発明は、新聞に限らず雑誌や書籍にも応用可能である。電子メディアが普及する昨今であるがペーパーメディアの発信する情報を管理・整理するのに活用できる。ペーパーメディアは手軽に管理出来る点が電子メディアと異なる点なのでハサミ一本で切り抜いて手軽に管理出来る点である。チラシやリーフリットやパンフレットにも印刷物の発行者名と連絡先と発行日と広告の有効期限の情報を罫線や地紋やメントに小さく切り抜かれても解るようにしておくと宣伝効果と著作権を明確にする効果が得られる。特に新聞の折り込みに入ってくる求人広告は切り抜くと企画・発行が何処か不明になる。求人情報誌も同じである。特にチラシや求人広告の後付けは不備が多く発行年月が抜けている事が多い。ハコモノの隙間にカンザシや奥付に書かれるべき情報を目立たないように刷り込むと切り抜きした後でも何を切り抜いたかわかる。
【００２３】
本発明と逆の方法として特許公開２００２−３４２３５５は新聞に手を加えず切り抜きの断片からＯＣＲで全ての新聞のデータを入れたデータベースを作ってニュースソースをコンピューターで検索する方法であり切り抜きが小さすぎたり新聞の写真部分だけだった場合にせっかくスキャナーで取り込んで発見出来ないと大変な徒労に終わる。雑誌や書籍やチラシに至っては全く想像もされていない。音楽ＣＤの場合は、ＣＣＣＤなどの音楽情報データベースがあり音楽ＣＤをパソコンにセットしてメディアプレーヤーを起動すれば自動的に曲名やアーティスト名といった情報を取得できる。しかし新聞や雑誌や書籍と言ったペーパーメディアは道具を極力使わない利便性があるから普及し続いているのである。
【００２４】
全ての新聞をデータ化するには専門誌から機関紙や地方紙などの全ての新聞からコピーして情報を電子化する許可を得ないとならず著作権の壁があり現実的でない。全ての刊行物や出版物のデータを集めるのは事実上不可能である。本発明は、実施してくれる新聞社なり雑誌社が一つあれば現実可能である。同人誌や機関紙でも実施可能な手軽さは発明の普及を容易させる。新聞の切り抜きは道具が増えると続かない。スクラップ帳にノリで張り付けるなんてクリアファイルが普及している現在になじまない。肉眼で新聞社なり雑誌社と発行年月日やページの識別が出来る方が手軽である。とくに書籍なら背表紙や奥付の情報を「柱」の横にカンザシみたいに入れるかページ（ノンブル）の横に小さく入れる。「柱」とは第何章とか第何部や○○編の第何章の隣に内容目次が印刷されている。内容目次とは本に記述された内容を掲載の順序に表記し、掲載項を併記して読者が索引に使うもので目次のページに並んでいる。目次部分の目録が索引用に入っている部分である。柱には肝心の「書籍名と著者名」が入っていないので整理に手間がかかる。出版社名と発行年はデザイン的な事を考慮して入れても入れなくても良い情報である。書籍は新聞と異なり小さいので切り抜きが１ページまるごとでも保管に困らないのでページごとに「柱」か「ノンブル」の横に「奥付やカンザシに該当する情報」を入れるだけでも資料としてコピーする場合に便利である。多く引用後する場合に著作権料の支払い先がハッキリする。
【００２５】
書籍より大きい雑誌は記事や特集ごとの切り抜きになるので新聞のようにスクラップされても良い場所として罫線（飾罫・太罫・細罫）や地紋やメントやフレームに入れると良い。罫線やメントが無く写真中心のレイアウトの場合はアミや見出しの文字の中に極小の文字で雑誌名や何月号や何号といった情報を入れる。ルーペで読める程度の大きさなら通常読むのに支障は無い。雑誌の場合はカラーページも多いので雑誌名や発行日と何号かは自由な配色で表示が可能である。イエロー・シアン・マゼンタ・ブラックの純色（原色）アミ点の濃度で無限に近い色が作れる。文字の縁取り以外のアミに上乗せする表現方法は単色のものより多い。これを活かして切り抜きされた後に必要な情報が残るレイアウトをすれば良い。電子透かしに入れる方法もあるがスキャナーなどで取り込む手間がかかるので目で見えるように表示した方が便利である。放送媒体の切り抜き支援機能として地上波デジタルや衛生放送に番組名と日付表示機能を付ける場合はテロップや臨時ニュースの文字が流れる場合は文字と表示機能が重ならないように電波で送られるデジタル情報の中に「チャンネル」と「番組名（ドラマならタイトルと何話の柱にあたる目録）」と「日付」と「時間」を入れる事で臨機応変に最適の位置に表示できる。
【発明の効果】
【００２６】
切り抜きする程の読者への新聞社や雑誌社がスクラップ（切り抜き）作業の効率化と情報源の明確化により膨大な情報から必要なものだけ資料として選別して活用して貰えるようにして結果、質の高い資料を読者は保存できる。更にユーザー側は資料の保管量が減る。整理しやすい事でより固定した読者を確保できる。切り抜かれても社名・年月日などが残るので必要となれば年数が経過しても著作権の問い合わせとかも発行元に出来る。Ｇコードと異なり番組ごとの数字を入れる程の手間も、かからないしコストも殆どかからないので費用対効果を考えると容易に実施できる。
【００２７】
切り抜き作業で、ハサミと筆記用具を、いちいち持ち変えないで済む。読んでハサミを手に持って切る。新聞名と日付を後で書こうと思って他の切り抜きと混ざって探すのに苦労したので切り抜いたらスグ筆記用具を持って記入する。以上の手間を省略して「気になる記事をハサミで切り抜き保管するだけ」に出来る。書籍の場合は、資料として必要なページをコピーした時、何からコピーしたか書かずに済む。後で本を詳しく調べる時に書名と作者名がわかればスグに見つけられる。沢山の似た本を読むと書名と作者名を覚えていないが、この発明を使うと覚えられる。衛生放送に番組名表示を加えるとビデオのラベルに記入する事が少なくてすむ。
【発明を実施するための最良の形態】
【００２８】
新聞や雑誌といったスクラップ（切り抜き）される機会が多い出版社などのペーハーメディアが自然な感じで実施するのが良い。参考文献や資料にされる可能性の高い書籍には、今回発明の「書籍用カンザシ」（書名・著者名・出版社名）（書籍は年月日は入れても入れなくて困らない）を「柱」（章の隣に入る内容目次）と合わせて使用する。
【００２９】
今までとデザインや編集を極端に変えず目立たせず違和感なく、この機能を加える方法で実施する。放送メディアはデジタル波に現在入っているチャンネルに加えて番組名・年月日・日時の情報を入れ情報の記録を出来るようにする。
【実施例１】
【００３０】
現在は長年の習慣で決まり物として新聞欄外のカンザシにだけ実施されている。しかしスクラップの事は全く考慮されていない。また固定概念で編集されているので昔の習慣が続いている。しかし本、発明は現在の新聞発行や雑誌・書籍発行の技術があれば即、実施可能である。現在、新聞のラテ欄（ラジオ・テレビ欄）にビデオ予約用のＧコードの数字が刷り込まれているが番組を見るのに気にならず違和感も感じない。本、発明は、このように自然な感じで実施可能である。
【００３１】
昔のマンガを例にするとコマの中にセリフが無くコマの下にセリフがあった。箱ものの下にセリフがあるのは、写真の下に解説が付いているのと同じ発想である。コマの中に「ふきだし」の機能が加わり現在のマンガになった。カンザシについても「ふきだし」同様に欄外の上中心にのみ現在は刷り込まれているが本、発明によって違和感なく取り入れられる。「見出し」「前文」「絵とき（写真や絵）」といったアミ点を使える部分ならデジタル（電子）情報をバーコード化して入れられるデジタル写真の著作権を守る技法（デジタルコンテンツ保護）として平成１０年頃から「電子透かし」が実用化されている。アナログ印刷の透かしは製版工程で埋め込むことが実用化されている。この処理をした印刷物を再びスキャナーで読み込んで電子化しても透かし情報は消えずに残るのでインターネット上を巡回ロボットで不正使用されていないか検索して検出可能である。電子透かしには「見える透かし（可視型）」と「見えない透かし（不可視型）」がある。これは著作権保護の為であり「切り抜き」支援の為ではないがスクラップする人がニュースソースを確認出来るようにするとスキャナーは必要なので手間がかかるが「切り抜き」支援にも使える。ビデオやＣＤのコピーの回数制限にも使われている周知技術である。
【００３２】
テレビにはチャンネルと時間表示機能はすでに付いており衛星放送はＥＰＧ機能まで実施されているので番組名と日付を表示させるのは技術上容易である。テレビ本体にもビデオと同様の電波受信式時計を内蔵させれば衛星波の技術を使わなくても正確な日時と曜日も表示可能である。視聴している時にジャマにならないように地上波デジタルや衛星放送のデジタル技術でチャンネルと番組名と日時が実際に放送されている字幕やテロップと重ならないように表示場所を臨機応変に移動させる工夫して表示するデジタル波に情報を入れてコントロールする。
【産業上の利用可能性】
【００３３】
活字離れが進んでいるのは、ペーパーメディアと電子メディアでは必要な情報の保存と検索の差が大きい点である。新聞や雑誌・書籍といったペーパーメディア本来の良さを活かし切り抜き作業を簡単にする事で情報管理が便利になる。今までは、単なる飾りでしか無かった「罫線」「アミ」「地紋」「メント」「箱」にカンザシ部分の情報を入れて切り抜きで不明になっていた問題を初めから印刷で刷り込む事で解決させ更に伝達機能を加える事ができる。スクラップの時にハサミで切り抜くだけで便利である。よって競争が激しい新聞や雑誌へ機能を加えて差別化も図れるし売り上げを増やす事も可能であるか固定の読者獲得につながる。とくに切り抜きして情報を絞り込み密度を上げる必要にあるビジネスマンや著述業や企画・デザインを仕事にしている人には便利な機能である。
【図面の簡単な説明】
【００３４】
【図１】新聞、見開き状態での使用例
【図２】雑誌を開いた状態での使用例
【図３】書籍を開いた状態での使用例
【図４】チラシ・パンフレット・リーフレットに使用した状態
【図５】表示して情報を入れる為の罫線や地紋やメント
【図６】切り抜いたスクラップの例
【図７】テレビ画面（モニター）
【符号の説明】
【００３５】
１＝罫線を利用して表示する。小さな文字を使い、一見すると罫線に見えるように文字を並べて情報を表示する。識別に道具（電子機器）は必要なく扱いは容易である。肉眼で見える程度の小さい字で場合によってルーペで読める程度ならば気にならない。太罫や飾罫なら「白抜き」や「フチ文字」でアミによって濃度が低い場合やカラーで薄い色の場合は上乗せにする。細い罫線はバーコードやモールス信号の技術を応用して必要な情報を入れて識別できる。「データケイ」にして情報を電子機器で表示する方法もある。適度な太さの罫線の場合は罫線を濃い（アミの％の大きい）アミで作り罫線内に入る程度の印（しるし）や記号や文字を薄く（アミの％）で表示する。罫線を薄い（アミの％の小さい）アミで作り罫線内に入る程小さい印（しるし）や記号や文字を濃く（アミの％）で表示する。ベタで作った罫線内に白抜きで罫線内に入る程度の印（しるし）や記号や文字を入れる。以上の応用で縁取り文字（白くくり）（黒くくり）も活用する。表罫・裏罫とあり細い罫線にはバーコード機能を入れ電子機器で解読する。罫線をメディア独自の模様にして識別する。（インターネットのドメインや系列テレビのチャンネルとか放送局のコールサインや書籍のＩＳＢＮみたい記号を応用すれば浸透しやすい。）
２＝見出しのベタや地紋部分にアミを利用して表示する。符号１６＝ハコモノ白抜きの背景技術の技法を応用してアミや地紋に「白フチどり」「黒フチどり」といった「くくり」処理や白抜きやベタ上乗せした文字を違和感なくカンザシの情報を入れて刷り込むと道具が必要なく便利である。符号１５＝のバーコード技術を応用してアミに四角が並べた情報量の多いバーコードや新聞社ごとに識別可能な状態にした地紋の中に必要情報を入れる。罫線より面積が大きいので加工は容易である。写植の場合はパーレンに地紋を作ったりする必要があるが電子製版であればデータとして罫線やアミ（スクリーントーン）地紋や記号を作れる。年月日の変更機能があるソフト（プログラム）を使えば毎日の手間も少なくて済む。年月日部分を指定して全置換が出来るエディターは２０年前からある。
３＝ハコもの記事内にカンザシの情報識別可能な記号を入れて表示する。
４＝欄外と記事の境目に使う罫線を利用してカンザシの情報を表示する。
５＝欄外に記号やマークなどにカンザシの情報を入れて表示する。
６＝書籍用カンザシ後付けの中から書名（タイトル）と作者名と出版社名と発行年月日と行った情報を「柱」（何編何章と目録）の部分か「ノンブル」（ページ）とのバランスを考えて天・地・左・右・の余白部分に刷り込む。
７＝カンザシ（従来、新聞のカンザシはこの位置にしか付けられていない。しかも欄外の上に１ケ所だけである。）
８＝現在カンザシはこの位置にだけ新聞名が入っている。後は新聞一面（いちめん）の題字に新聞社名に地紋が付いている部分だけである。（新聞の題字とは本の背表紙にあたる部分）
９＝新聞の奥付（第一面の題字の下か横に印刷されている）
１０＝写真（えとき）の場合はドットに電子透かしの技術を使用できる。
１１＝チャンネル名（現在はテレビやビデオとの表示機能がある）
１２＝時間（現在はテレビ本体の表示機能がある）
１３＝番組名（地上波デジタル・ＣＳ・ＢＳに表示機能がある。）
１４＝年月日（年月日を表示させる機能は現在ない。その為ＥＰＧまで可能としたデジタル技術で「チャンネルと番組名と年月日と時間」を画面に小さく表示させて切り抜き録画してもニュースソースを明確にできる。
１５＝デジタルカメラ用のバーコード背景技術の見本
１６＝ハコモノ白抜きに新聞社名の入った背景技術の見本
１７＝メントを利用して表示する場合は太くなっている部分に表示するかデータを刷り込む。
１８＝題字
１９＝奥付
２０＝見出し
２１＝前文
２２＝タタミ
２３＝カコミ
２４＝年月日
２５＝カンザシ
２６＝日時
２７＝キャプション（写真の説明）
２８＝ラジオ・テレビ欄
２９＝天
３０＝地（けした）
３１＝広告
３２＝マンガ
３３＝フレーム
３４＝ページ（ノンブル）
３５＝柱
３６＝章
３７＝見開きページ
３８＝対向ページ
３９＝テロップ表示位置
４０＝臨時ニュース表示位置
【図１】
2004268593.tif 000003
【図２】
2004268593.tif 000004
【図３】
2004268593.tif 000005
【図４】
2004268593.tif 000006
【図５】
2004268593.tif 000007
【図６】
2004268593.tif 000008
【図７】
2004268593.tif 000009
【手続補正書】
【提出日】平成16年5月7日(2004.5.7)
【手続補正１】
【補正対象書類名】明細書
【補正対象項目名】００２４
【補正方法】変更
【補正の内容】
【００２４】
全ての新聞をデータ化するには専門誌から機関紙や地方紙などの全ての新聞からコピーして情報を電子化する許可を得ないとならず著作権の壁があり現実的でない。全ての刊行物や出版物のデータを集めるのは事実上不可能である。本発明は、実施してくれる新聞社なり雑誌社が一つあれば現実可能である。同人誌や機関紙でも実施可能な手軽さは発明の普及を容易させる。新聞の切り抜きは道具が増えると続かない。スクラップ帳にノリで張り付けるなんてクリアファイルが普及している現在になじまない。肉眼で新聞社なり雑誌社と発行年月日やページの識別が出来る方が手軽である。とくに書籍なら背表紙や奥付の情報を「柱」の横にカンザシみたいに入れるかページ（ノンブル）の横に小さく入れる。「柱」とは第何章とか第何部や○○編の第何章の隣に内容目次（見出し語）が印刷されている。内容目次とは本に記述された内容を掲載の順序に表記し、掲載項を併記して読者が索引に使うもので目次のページに並んでいる。目次部分の目録が索引用に入っている「見出し語」の部分である。柱には肝心の「書籍名と著者名」が入っていないので整理に手間がかかる。出版社名と発行年はデザイン的な事を考慮して入れても入れなくても良い情報である。書籍は新聞と異なり小さいので切り抜きが１ページまるごとでも保管に困らないのでページごとに「柱」か「ノンブル」の横に「奥付やカンザシに該当する情報」を入れるだけでも資料としてコピーする場合に便利である。多く引用後する場合に著作権料の支払い先がハッキリする。
【手続補正書】
【提出日】平成16年5月17日(2004.5.17)
【手続補正１】
【補正対象書類名】明細書
【補正対象項目名】０００３
【補正方法】変更
【補正の内容】
【０００３】
新聞や雑誌で実施する場合、現在の編集・製版・印刷技術で十分可能である。現在の新聞は切り抜いた記事の特徴を識別するには、記事本文に使用されている明朝体に平体や長体がどの程度かかっているかで識別できる人も、ごくまれにいる事もあるが写真植字用語の平体1か長体1を使用する新聞社が多く書体は明朝体が基本である為に文字の種類が少なくなり、その結果に確実性に欠け日付の識別は不可能である。一部機関紙などではゴシック体や斜体を使う所も無いとは言えないが大手新聞だけでも切り抜かれた後の識別は至難の技である。記号・コード・罫線・地紋・アミを発明目的に合わせてデザインするぐらいでほとんど設備投資を伴わないで可能である。この機能をワープロソフト（ＦＥＰ）に加えて変換を容易にする。昔は専用の写植用パーレンを作っておく必要があった。現在は、デジタル技術の発達と紙質の向上やオフセット印刷化によってアミ点の線数が６５線・８５線・１３０線と細かくなり以前にくらべて新聞に小さい文字を印刷できる。アミ点の線数をスクリーン線数と呼ぶ所が増えているが同じ意味である。１インチの走査線の縦横４５０×４５０本で６５線であり線数が増えるとこれらの数は増える。１３０線を越えると雑誌の写真並みのクオリィー（質）になる。雑誌の場合のスクリーン線数は、６５線８０線１００線１３３線と
数が増えると解像度が高くなる。
【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
新聞・雑誌・チラシに新聞名又は雑誌名と発行日や著者又は出版社名やページなど「カンザシ」に書かれている情報を小さく切り抜き（スクラップ）した後でも残るように罫線や地紋・アミ・メントに新聞社と発行日を記号または小さい文字によって違和感なく初めから刷り込んでおくことで情報の出所の確認を容易にして切り抜き後も何を切り抜いたスクラップかわかるようにして切抜資料（ｃｌｉｐｐｉｎｇｓ）集め整理を支援する機能付き印刷物。
【請求項２】
書籍の全てのページに書籍名（主題・ｓｕｂｊｅｃｔ・背表紙のタイトル）と著者名と出版社名を新聞の「カンザシ」みたいに「柱」や「ページ」（ノンブル）の横や欄外のバランスの良い位置に自然に配置されるようなレイアウトで違和感無く刷り込むことで情報の出所を明確にして切り抜きやコピー後に引用や参考書籍が一目瞭然にできる機能を加える。「書籍用カンザシ」とフレーム部分にアナログ又はデジタル情報で「書籍用カンザシ」の情報を刷り込むことで「データケイ」として使う機能の付いた印刷物。
【請求項３】
チラシ・パンフレット・リーフレットで特に求人広告や書籍といった複数の異なる会社の広告が並ぶ場合に発行者名と連絡先と発行年月日を識別可能にする事で大メディアに掲載された事を明確に出来るので興味ある商品やサービスといった部分が切り抜かれた後でも信用性が残り宣伝効果による販売可性が高くなり更に著作権までも明確に出来ことで広告主の情報だけでなく媒体情報まで識別可能に出来る印刷物。
【請求項４】
衛生放送の録画時に従来のチャンネル・時間表示に加えて年月日と番組名も新たに表示させることで何を録画したか巻き戻し途中で再生して表示を見たらスグに分かるようにすると同時に表示を小さくしてなおかつ字幕やテロップが入る場合は文字と文字が重ならないように表示位置を移動させる事で違和感を最小限に抑える機能を入れた地上波及び衛星波に入れたデジタル信号又はあらかじめ機能を付けた電子機器。
【請求項５】
フレキシブルディスプレイを使用した電子新聞でシステムオン・ガラスと呼ばれる機能を使い必要な記事を指やペンでなぞる事によって「資料切り抜き」としてデータが絞り込まれて保存・詮索・出力が可能なペーパーライクに使えデジタルデータ内に「カンザシ」の情報を入れた新聞のデジタルデータを無線及び有線にて信号として取り込み更新出来る、新聞表示機能を持つ電子機器と電子ペーパーと言える表示機能が付いたハード又は同様の機能をソフトをインストールする事によって搭載又は搭載可能とした電子機器。
【手続補正２】
【補正対象書類名】明細書
【補正対象項目名】０００８
【補正方法】変更
【補正の内容】
【０００８】
新聞に載った記事をコピーで見せられると、偽造されてないか心配になるので新聞専用の
紙だと安心される。中には実際に新聞に掲載されていない広告や記事を本物の新聞の上に貼って掲載されたと詐欺の小道具に使う事件もあり現在は、パソコンの普及で偽装が容易であるが活字を信じてしまう傾向があり縮刷版で確認する位の用心深さを持っている人は少ない。コピーでなければ書体で新聞を見分けるのと同様に紙の質で見分ける事も可能だが活字同様に何年何月何日までは解らないので縮刷版での確認は無理である。しかもコピーは新聞社の著作権に触れないかも気になる。実物を切り抜いた新聞の現物を見せられると説得力が上がり信用できる。とくに新聞は雑誌より大きいのでコピーしても欄外の上に印刷してある紙名と日付は、まず入らない。本、発明でこの問題は解決出来る。但しお金を出せば実際に本を自費出版したり広告は掲載出来るので簡単に信用しないで疑わしきは調べる事が大切である。
【手続補正３】
【補正対象書類名】明細書
【補正対象項目名】００１１
【補正方法】変更
【補正の内容】
【００１１】
テレビ（電波メディア）番組を見ただけでチャンネルがわからない時にリモコンでチャンネルを画面に表示させる機能の電子メディア（デジタル媒体）版である。テレビにもチャンネルや時間表示に加えて番組名表示機能をビデオ録画の時に搭載されると便利ではあるが現在は、衛星放送でもチャンネルのマークが表示されるだけ（である。モニター（画面）に今より目立たなく表示される機能があれば便利である。ペーパーメディア（紙媒体）から電子メディアへの過渡期であり丸めて運べるテレビは実用化されているのでフレキシブルディスプレイで新聞の大きさと厚みの丸めたり折り曲げられるフィルム形状のフィルム液晶や自発光ディスプレイの有機ＥＬディスプレイ（ＯＥＬＤ・Ｏｒｇａｎｉｃ  Ｅｌｅｃｔｒｏ−Ｌｕｍｉｎｅｓｃｅｎｃｅ）やプラズマディスプレイ（ＰＤＰ）のモニターで薄く丈夫な表示媒体が実用化されたらモニター画面上に銀行やコンビニや郵便局などのＡＴＭで入力出来るタッチパネル機能も画面に付けてデジタイザに付属していいるコードレスのペンやスタイラスペンや指の先で記憶媒体の記事部分をなぞると「資料切り抜き」としてデータ化されて絞り込んで保存できて検索と表示も簡単になる。システムオン・ガラス（ＳＯＧ）と呼ばれるガラスやフィルム状の基板上に薄膜トランジスターと駆動用ドライバー回路も集積されるようになっている。この技術がガラス基板からプラスチチック基板上に出来るようになれば現在は巻いて使うフィルム状ディスプレイからよりペーパーライクに自由に切り抜き出来る紙の様なディスプレイが可能となる。マザーガラス基板サイズの伸びを「西村の法則」と言い３年で１，８倍の割合で大きくなる。画素数は解像度のアップと共に３年で約１，７倍増加し階調レベル数は３年で２，５倍づつ増える。これを「北原の法則」と言う。このペースで新聞の大きさで新聞を綴じてラックに吊り下げる状態となる形状の液晶ディスプレイが実用となる。新聞を綴じる部分はコンピューター部分に置き換えられる。その場合にはデータに「電子透かし」を入られるので「カンザシ」の情報も一緒に入れることでニュースソース（情報の出所）を明確にできる。現在の電子メディアは、まだ画面が小さくスクロールさせる手間がかかるが新聞の大きさならページをめくる感覚で視線を新聞編集の基本である「オサエてナガす」という基本レイアウトで目の動きがスムーズにできてナガシ記事に時間を取られるムダを省ける。現在の電子メディアは紙の新聞の編集技術を駆使できない不便さがあるのは、小さい画面で新聞編集の禁止事項を考慮出来ないためである。
【手続補正４】
【補正対象書類名】明細書
【補正対象項目名】００１５
【補正方法】変更
【補正の内容】
【００１５】
今まで飾りに過ぎなかった「罫線」や「地紋」をカナ（アイウエオ・・・）やローマ字（
ＡＢＣＤＥ・・・）に数字（１２３４５・・・）と連動して変換する機能をワープロソフ
トに搭載する。細い罫線でも小さい文字を罫線に使えば目的を達する事ができる。モール
ス信号の要領で点と線の応用で記号化も可能である。細い罫線に合わせた小さい文字を刷
り込む事も現在の印刷水準が高くなったので可能である。虫眼鏡（ルーペ）で読めれば良
い。太めの罫線はくくり文字を入れたり現在のＱＲコードというバーコード技術をアレンジして正方形から長方形に変形することで利用できる。絵とき（写真）には「シニケイ」（罫線をアタリにつかう）と「イキケイ」（写真のまわりに罫線を刷り込む）が本発明の「データケイ」に著作権情報もアナログ印刷で刷り込むことも可能である。（ドット情報が並んだバーコードのドット版罫線である）
【手続補正５】
【補正対象書類名】明細書
【補正対象項目名】００３４
【補正方法】変更
【補正の内容】
【００３４】
【図１】新聞、見開き状態での使用例
【図２】雑誌を開いた状態での使用例
【図３】書籍を開いた状態での使用例
【図４】チラシ・パンフレット・リーフレットに使用した状態
【図５】表示して情報を入れる為の罫線や地紋やメント
【図６】切り抜いたスクラップの例
【図７】テレビ画面（モニター）
【図８】ペーパーライクな新聞大の液晶と電子機器
【手続補正６】
【補正対象書類名】明細書
【補正対象項目名】００３５
【補正方法】変更
【補正の内容】
【００３５】
１＝罫線を利用して表示する。小さな文字を使い、一見すると罫線に見えるように文字を
並べて情報を表示する。識別に道具（電子機器）は必要なく扱いは容易である。肉眼で見
える程度の小さい字で場合によってルーペで読める程度ならば気にならない。太罫や飾罫
なら「白抜き」や「フチ文字」でアミによって濃度が低い場合やカラーで薄い色の場合は
上乗せにする。細い罫線はバーコードやモールス信号の技術を応用して必要な情報を入れ
て識別できる。「データケイ」にして情報を電子機器で表示する方法もある。適度な太さ
の罫線の場合は罫線を濃い（アミの％の大きい）アミで作り罫線内に入る程度の印（しる
し）や記号や文字を薄く（アミの％）で表示する。罫線を薄い（アミの％の小さい）アミ
で作り罫線内に入る程小さい印（しるし）や記号や文字を濃く（アミの％）で表示する。
ベタで作った罫線内に白抜きで罫線内に入る程度の印（しるし）や記号や文字を入れる。
以上の応用で縁取り文字（白くくり）（黒くくり）も活用する。表罫・裏罫とあり細い罫
線にはバーコード機能を入れ電子機器で解読する。罫線をメディア独自の模様にして識別
する。（インターネットのドメインや系列テレビのチャンネルとか放送局のコールサイン
や書籍のＩＳＢＮみたい記号を応用すれば浸透しやすい。）
２＝見出しのベタや地紋部分にアミを利用して表示する。符号１６＝ハコモノ白抜きの背
景技術の技法を応用してアミや地紋に「白フチどり」「黒フチどり」といった「くくり」
処理や白抜きやベタ上乗せした文字を違和感なくカンザシの情報を入れて刷り込むと道具
が必要なく便利である。符号１５＝のバーコード技術を応用してアミに四角が並べた情報
量の多いバーコードや新聞社ごとに識別可能な状態にした地紋の中に必要情報を入れる。
罫線より面積が大きいので加工は容易である。写植の場合はパーレンに地紋を作ったりす
る必要があるが電子製版であればデータとして罫線やアミ（スクリーントーン）地紋や記
号を作れる。年月日の変更機能があるソフト（プログラム）を使えば毎日の手間も少なく
て済む。年月日部分を指定して全置換が出来るエディターは２０年前からある。
３＝ハコもの記事内にカンザシの情報識別可能な記号を入れて表示する。
４＝欄外と記事の境目に使う罫線を利用してカンザシの情報を表示する。
５＝欄外に記号やマークなどにカンザシの情報を入れて表示する。
６＝書籍用カンザシ後付けの中から書名（タイトル）と作者名と出版社名と発行年月日と
行った情報を「柱」（何編何章と目録）の部分か「ノンブル」（ページ）とのバランスを
考えて天・地・左・右・の余白部分に刷り込む。
７＝カンザシ（従来、新聞のカンザシはこの位置にしか付けられていない。しかも欄外の
上に１ケ所だけである。）
８＝現在カンザシはこの位置にだけ新聞名が入っている。後は新聞一面（いちめん）の題
字に新聞社名に地紋が付いている部分だけである。（新聞の題字とは本の背表紙にあたる
部分）
９＝新聞の奥付（第一面の題字の下か横に印刷されている）
１０＝写真（えとき）の場合はドットに電子透かしの技術を使用できる。
１１＝チャンネル名（現在はテレビやビデオとの表示機能がある）
１２＝時間（現在はテレビ本体の表示機能がある）
１３＝番組名（地上波デジタル・ＣＳ・ＢＳに表示機能がある。）
１４＝年月日（年月日を表示させる機能は現在ない。その為ＥＰＧまで可能としたデジタ
ル技術で「チャンネルと番組名と年月日と時間」を画面に小さく表示させて切り抜き録画
してもニュースソースを明確にできる。
１５＝デジタルカメラ用のＱＲコードという正方形のバーコード背景技術の見本
１６＝ハコモノ白抜きに新聞社名の入った背景技術の見本
１７＝メントを利用して表示する場合は太くなっている部分に表示するかデータを刷り込
む。
１８＝題字
１９＝奥付
２０＝見出し
２１＝前文
２２＝タタミ
２３＝カコミ
２４＝年月日
２５＝カンザシ
２６＝日時
２７＝キャプション（写真の説明）
２８＝ラジオ・テレビ欄
２９＝天
３０＝地（けした）
３１＝広告
３２＝マンガ
３３＝フレーム
３４＝ページ（ノンブル）
３５＝柱
３６＝章
３７＝見開きページ
３８＝対向ページ
３９＝テロップ表示位置
４０＝臨時ニュース表示位置
４１＝フィルム状のフレキシブルな液晶
４２＝電子機器
４３＝ＯＮ・ＯＦＦスイッチ
４４＝切り抜きメモリーボタン
４５＝ページ送りボタン
４６＝ページ戻しボタン
４７＝年月日切り替えボタン
４８＝メモリースロットでメモリーカード・メモリースティック・小型ハードディスクやＤＶＤ−ＲＷやＣＤ−Ｒやプロッピーを入れられるスロット
４９＝システム・オン・ガラス操作により指かペンで切り抜きの範囲指定が出来る。
５０＝ラックに掛けておける。
５１＝フレキシブルフィルムをコードリールの様に巻いて収納出来て必要な時に引き出す機能を有する。
５２＝決定ボタン
５３＝拡大ボタン
５４＝縮小ボタン
【手続補正７】
【補正対象書類名】図面
【補正対象項目名】図８
【補正方法】追加
【補正の内容】
【図８】
2004268593.tif 000010